(57)【要約】      （修正有）【課題】野菜類調製機などを梱包し、輸送、運搬時に使用する梱包体を再輸送、廃棄することなく、生産者に作業能率が向上する作業レイアウトを提案し、作業者の作業体系に合わせた作業台として使用できる野菜類調製機の梱包体を提供する。【解決手段】野菜類調製機１などの被梱包製品を運搬、輸送する梱包体であって、この梱包体を構成している部材を用いて作業能率が向上する野菜類調製機１の作業に使用する作業台３に変形できることを特徴としている。【選択図】図７
2011255959.tif 000002
【特許請求の範囲】
【請求項１】
野菜類調製機などの被梱包製品を運搬、輸送する梱包体であって、この梱包体を構成している部材を用いて野菜類調製機の作業に使用する作業台に変形できることを特徴とする野菜類調製機の梱包体。
【請求項２】
梱包体は、野菜類調製機などの被梱包製品を載せる架台と側面を保護する天枠、側面枠を備え、梱包体を構成している部材を野菜類調製機の作業に使用する作業台に変形できることを特徴とする野菜類調製機の梱包体。
【請求項３】
梱包体の天井と側面の一部または全部を板材で構成し、この板材には梱包体を作業台に変形できるように作業台製作用の加工形状を描いている、あるいはミシン目加工したことを特徴とする請求項1又2に記載の野菜類調製機の梱包体。
【請求項４】
梱包体の部材に設けられた組立孔が、梱包体組立時の孔と作業台組立時の孔で異なる径または、ピッチで構成されていることを特徴とする請求項1ないし3のいずれかに記載の野菜類調製機の梱包体。
【請求項５】
作業者が複数の作業体系の中から作業能率が向上する作業レイアウトに合わせた作業台を自由に選択し、製作することができる請求項1ないし4のいずれかに記載の野菜類調製機の梱包体。
【発明の詳細な説明】
【技術分野】
【０００１】
本発明は、野菜類調製機をはじめとする各種農業機械を運搬あるいは、輸送するときに使う梱包体に関するものである。
【背景技術】
【０００２】
野菜類の調製作業をはじめとする農作業では、その作業体系に応じた農業機械（以下野菜類調製機）と作業台を使用している。一般に作業体系は産地毎・生産者毎に異なり、量産された野菜類調製機であっても、作業台は個別に準備している場合が多かった。更に、農業機械の導入・更新時には、作業台を機械に合わせて更新または修正する必要があった。また、野菜類調製機を輸送する際、特に大型のものは、フォークリフトで移動できるように十分な強度を持たせた架台に野菜類調製機を載せ、その架台の各側面に側面枠を固定して梱包体としていた。この梱包体によって輸送時の損傷、破損を防止している。通常は輸送後に野菜類調製機を設置すれば、この梱包体は、不要となり、再度梱包体として利用するかあるいは、廃棄するなどの方法をとっていた。しかし、再利用、廃棄するに際し、再輸送の料金、廃棄の引取り料金などの不要なコストが発生していた。このような課題を解消する梱包体の一例として、特許文献1には、梱包体の一面に被梱包製品の側部に嵌合される嵌合部を備え、その梱包体には、少なくとも一面に、被梱包製品の表面と同一形状の成形面が設けられている梱包体が提案されている。一方、特許文献2では、箱機の内部に、撮影用のカメラなどの重量の嵩む重量物を収容して、カメラの運搬・保管をなす、上面が開口する箱本体と、この箱本体の上面開口部を開閉自在として、開口部を閉成した状態で内部から取り出した重量物を支持し、箱本体とともにカメラ撮影時の作業台となす蓋体とを、具備している箱機が提案されている。
【先行技術文献】
【特許文献】
【０００３】
【特許文献１】特開2009-196674号公報
【特許文献２】特開2001-122351号公報
【発明の概要】
【発明が解決しようとする課題】
【０００４】
上述した特許文献1においては、梱包体を据付時の作業台として使用するものの、据付が完了すると、梱包体が不要となり、その後は、使用せず廃棄することが必要となる。一方、上述した特許文献2においては、梱包体を被梱包物である重量物カメラを移動先に仮設置する場合に、その作業性を向上させると共に、専用作業台と同等の剛性にて信頼性の向上をはかるものである。すなわち、出張撮影の目的のため重量物カメラと一体となって保管され、頻繁に運搬・使用されるものであり、実質的に梱包体とするよりは重量物カメラの出張撮影用構成部品である。
そこで、本発明は、野菜類調製機の新規導入あるいは更新時に、それに合わせた作業台を準備する必要があり、また野菜類調製機の運送時に使用される梱包体が無駄に廃棄される場合が多いといった問題を解消するために、梱包体にあらかじめ作業体系に応じた所定の加工を行うことで、当該の野菜類調製機において推奨できる作業体系を前提とし、生産者に作業能率向上を提案でき、野菜類調製機の設置後メンテナンスなどの作業も標準化できる野菜類調製機の梱包体を提供することを目的としている。
【課題を解決するための手段】
【０００５】
上記目的を達成するために本発明においては、以下（1）ないし（5）の手段を採用する。
（1）野菜類調製機などの被梱包製品を運搬、輸送する梱包体であって、この梱包体を構成している部材を用いて野菜類調製機の作業に使用する作業台に変形できることを特徴としている。
（2）梱包体は、野菜類調製機などの被梱包製品を載せる架台と側面を保護する側面枠を備え、梱包体を構成している部材を野菜類調製機の作業に使用する作業台に変形できることを特徴としている。
（3）梱包体の天井、側面の一部または全部を板材で構成し、この板材には梱包体を作業台に変形できるように作業台製作用の加工形状が描かれているあるいは、ミシン目加工をしていることを特徴としている。
（4）梱包体の部材に設けられた組立孔が、梱包体組立時の孔と作業台組立時の孔で異なる径または、ピッチで構成されていることを特徴としている。
（5）作業者が複数の作業体系の中から作業能率が向上する作業レイアウトに合わせた作業台を自由に選択し、製作することができることを特徴としている。
【発明の効果】
【０００６】
以上説明したように本発明にかかる梱包体によれば、運搬、輸送に使用した梱包体を作業台に変形でき、あらかじめ作業台組立用の孔を設けておくことで、ボルトで部材を固定し、作業台を組立て、使用することが可能となる。また、梱包体の側面と天井の一部または全部に板材を使用し、あらかじめこの板材に作業能率が向上する作業台を製作するための加工形状を描いておく、あるいは、ミシン目加工をしておくことで、より簡単に標準的な作業台を製作することができる。さらに標準作業台以外にも作業者の作業体系に応じて、作業能率が向上する作業レイアウトを自由に選択することが可能となる。
【図面の簡単な説明】
【０００７】
【図１】本発明の野菜類調製機の梱包体輸送時の状態を示す正面図。
【図２】本発明の野菜類調製機の梱包体輸送時の状態を示す側面図。
【図３】本発明の野菜類調製機の梱包体を作業台に変形した状態を示す平面図。
【図４】本発明の野菜類調製機の梱包体を作業台に変形した状態を示す側面図。
【図５】本発明の野菜類調製機の梱包体の部材を示す図。
【図６】本発明の実施例2の野菜類調製機の梱包体輸送時の状態を示す正面図
【図７】本発明の実施例2の野菜類調製機の梱包体を作業台に変形した状態を示す斜視図。
【発明を実施するための形態】
【０００８】
以下、本発明を実施するための形態例を、本発明の実施例として各図とともに説明する。
（架台）
図1は、本発明に係る梱包体の輸送時の状態を示している。輸送時、あるいは運搬時には、架台に野菜類調製機を載せて固定する。この架台には、側面枠組立時の孔が設けられており、この孔と側面枠の孔にボルトを通して固定するようになっている。架台の下側には、フォークリフトの爪を入れる空間が設けてある。梱包体を輸送車に搭載する際には、前記空間にフォークリフトの爪を入れて輸送車に積込んでいる。
（側面枠、天枠）
側面枠は、輸送時の損傷、破損から野菜類調製機を保護するため、架台に固定して側面部を保護する枠体であり、側面枠に固定し、上面を保護する枠体が天枠である。その外形寸法は、野菜類調製機の本体の外寸より大きい長さで構成されている。この側面枠には、等辺山型鋼等を使用してもよいが、別実施例としては、コンクリートパネルや段ボールで側面、天井を覆う方法がある。この場合、コンクリートパネルや段ボールには、作業能率の向上を可能とした作業台を製作するため、作業台を製作するのに必要な作業台の加工形状を描いておくか、あるいは、ミシン目を入れて容易に作業台用の部材を製作できるようにしておく。これにより、作業者が容易に梱包体から変形して作業台を加工、組立することができるようになる。  
（作業台）
図３は、輸送後に梱包体を分解し、分解した部材を使用して、作業台に変形した状態を示している。この作業台は、野菜類の調製作業前あるいは、調製作業後に野菜類を一時的に溜めておく部分であり、作業者が野菜類の調製作業を行うために使用する台である。本発明では、野菜類調製機の排出口の高さに合わせて作業台を設定できるようにしている。また、図7では、野菜類調製機の隣に本発明の作業台を設置したものである。野菜類を本発明の作業台の上に置くことにより、作業能率を向上させた袋詰め作業を行う作業レイアウトが可能となっている。
（部材）
図５は、梱包体及び、作業台を構成している部材を示している。等辺山型鋼等を必要寸法に切断し、梱包体及び、作業台組立用の孔を開けている。この部材には、梱包体を作業台に変形して組立ができるようにそれぞれ孔ピッチ、孔径が異なる寸法で設けられている。能率よく作業するための作業台として使用するため、コンクリートパネル（図示していない）を載せてボルトが固定できるように孔が設けられており、必要に応じてコンクリートパネルを取付けることができるようになっている。  
【産業上の利用可能性】
【０００９】
本発明にかかる梱包体は、野菜類調製機をはじめとする各種農業機械を運搬あるいは、輸送するときに使う梱包体を作業能率が向上する作業台に変形して好適に用いることができる。
【符号の説明】
【００１０】
１  野菜類調製機
２  架台
３  作業台
４  側面枠
５  部材
６  空間
７  梱包体組立時の孔
８  作業台組立時の孔
９  野菜類
１０  天枠
【図１】
2011255959.tif 000003
【図２】
2011255959.tif 000004
【図３】
2011255959.tif 000005
【図４】
2011255959.tif 000006
【図５】
2011255959.tif 000007
【図６】
2011255959.tif 000008
【図７】
2011255959.tif 000009